(57)【要約】  磁気駆動式のリニアアクチュエータ（１）では、可動子（３）の矩形筒状のコイルフレーム（１１）の下辺部分（１１Ｂ）に負荷取付け部（１４）が固定され、コイルフレーム（１１）の上辺部分（１１Ｕ）に、可動子（３）の移動位置を検出する位置検出部（２０）の発光部（２２）が固定される。負荷取付け部（１４）とコイルフレーム（１１）の上辺部分（１１Ｕ）とは、これらの間に架け渡した梁部（２８Ｌ、２８Ｒ）によって、相互に連結されている。可動子（３）の高加速駆動時において、負荷取付け部（１４）と発光部（２２）の挙動のズレを防止あるいは抑制できる。リニアアクチュエータの応答性、位置決め精度を改善できる。
2015155825.tif 000002
【特許請求の範囲】
【請求項１】
筒状のコイルフレーム、および、当該コイルフレームに巻き付けられた駆動コイルを備えた筒状の可動子と、
励磁電流が流れる前記駆動コイルとの間に、前記可動子をその中心軸線に平行な直線経路に沿って移動させる推力を発生させる磁石を備えた固定子と、
前記コイルフレームの内側において、前記可動子を、前記直線経路に沿って移動可能に支持する直動軸受けと、
前記コイルフレームにおける前記直動軸受けを挟み相互に対峙する第１フレーム部分および第２フレーム部分と、
前記第１フレーム部分に取り付けた負荷取付け部と、
前記第２フレーム部分に取り付けた可動側検出部を備え、前記可動子の前記直線経路上の移動位置を検出する位置検出部と、
前記第１フレーム部分あるいは前記負荷取付け部から、前記第２フレーム部分あるいは前記可動側検出部までの間に架け渡した梁部と、
を有していることを特徴とするリニアアクチュエータ。
【請求項２】
前記梁部を前記第１フレーム部分あるいは前記負荷取付け部に固定する第１固定具と、
前記梁部を前記第２フレーム部分あるいは前記可動側検出部に固定する第２固定具と、
前記梁部と、前記第１フレーム部分あるいは前記負荷取付け部との間に形成され、前記可動子の中心軸線の方向から当接可能な第１当接部と、
前記梁部と、前記第２フレーム部分あるいは前記可動側検出部との間に形成され、前記可動子の中心軸線の方向から当接可能な第２当接部と、
を有している請求項１に記載のリニアアクチュエータ。
【請求項３】
前記コイルフレームおよび前記梁部は、これらの部位が一体形成された単一部品である請求項１に記載のリニアアクチュエータ。
【請求項４】
前記コイルフレーム、前記負荷取付け部および前記梁部は、これらの部位が一体形成された単一部品である請求項１に記載のリニアアクチュエータ。
【請求項５】
前記梁部は、前記可動子の中心軸線の方向に所定幅の板状部材である請求項１に記載のリニアアクチュエータ。
【請求項６】
前記第２フレーム部分の外周面に、前記可動側検出部が取り付けられ、
前記位置検出部における前記固定子の側に取り付けた固定側検出部は、前記可動側検出部に対して、前記第２フレーム部分とは反対側から対峙しており、
前記負荷取付け部と前記第２フレーム部分との間に前記直動軸受けが位置している、
請求項１に記載のリニアアクチュエータ。
【請求項７】
前記位置検出部は、対向配置された発光部および受光部と、前記受光部への外乱光の侵入を阻止する遮光部とを備え、
前記発光部は前記可動側検出部であり、前記受光部は前記固定側検出部であり、
前記遮光部は、前記発光部の側に配置した発光側遮光部と、前記受光部の側に配置した受光側遮光部とを備え、
前記発光側遮光部は、前記発光部の発光素子の発光面を取り囲む状態で前記受光側遮光部の側に突出している発光側突出部を備え、
前記受光側遮光部は、前記受光部の受光素子の受光面を取り囲む状態で前記発光側遮光部の側に突出している受光側突出部を備え、
前記発光側突出部の少なくとも先端部分は、前記受光側突出部の内側に入り込んでいる、
請求項６に記載のリニアアクチュエータ。
【請求項８】
前記中心軸線の方向から見た場合に、
前記直動軸受けによる前記可動子の支持中心、および、前記可動子に作用する前記推力の発生中心は、前記可動子の重心に一致している請求項１に記載のリニアアクチュエータ。
【請求項９】
前記可動子、前記負荷取付け部、前記直動軸受けにおける前記可動子に取り付けられている可動側軸受け部、前記可動側検出部、および、前記梁部は、前記中心軸線を含み前記第１、第２フレーム部分の方向に延びる平面に対して、左右対称な構造となっている請求項８に記載のリニアアクチュエータ。
【発明の詳細な説明】
【技術分野】
【０００１】
本発明は、ボイスコイルモータを用いて直線経路を往復移動するリニアアクチュエータに関するものである。
【背景技術】
【０００２】
ボイスコイルモータを用いて応答性良くレンズなどを移動させて焦点合わせなどを行うリニアアクチュエータが広く用いられている。かかる磁気駆動式のリニアアクチュエータでは、その可動子がリニアガイドなどによって直線移動可能な状態で支持され、可動子には駆動対象のレンズなどを取り付けるための負荷取り付け部が固定される。【０００３】
一般に、磁気駆動式のリニアアクチュエータでは、レンズ等の負荷を、応答性良く、しかも高い位置決め精度で、微小範囲を直線移動させることが要求される。本発明者等は、特許文献１において、位置決め精度の向上および耐久性の向上を目的とした磁気駆動式のリニアアクチュエータを提案している。【０００４】
このリニアアクチュエータは、矩形筒状のコイルフレームの内側に、負荷取付け部、リニアガイド、可動子の位置検出用のセンサー部を配置し、可動子の重心とリニアガイドの支持中心とを一致させるようにしている。また、可動子に作用する磁力（推力）の発生中心を可動子の重心に一致させるようにしている。これにより、リニアガイドの部分に掛かるモーメントを軽減でき、応答性良く、しかも、高い位置決め精度で、可動子を位置決めできる。また、可動子を支持しているリニアガイドに作用するモーメントが軽減されるので、リニアアクチュエータの耐久性も改善できる。
【先行技術文献】
【特許文献】
【０００５】
【特許文献１】特開２００８−３５６４５号公報
【発明の概要】
【発明が解決しようとする課題】
【０００６】
上記構成のリニアアクチュエータにおいて、可動子、したがって、そこに搭載されているレンズ等の部材の高加速度駆動が要求される場合がある。このような場合においては、コイルフレームの剛性不足に起因して、レンズ等が搭載される負荷取付け部を応答性良く高い精度で位置決めできないことがある。【０００７】
すなわち、矩形筒状のコイルフレームの内側において、リニアガイドを挟み、一方の側のフレーム部分に負荷取付け部が固定され、他方の側のフレーム部分にセンサー部が固定されている。負荷取付け部材とセンサー部とが可動子の移動方向に対して直交する方向において離れた位置にある。【０００８】
このため、高加速度駆動時に、コイルフレームの撓み等が原因となって、負荷取付け部とセンサー部に挙動のズレが生じることがある。駆動用の入力指令信号とセンサー部から出力される可動子（負荷取付け部）の位置を示すセンサー位置信号とが一致するようにリニアアクチュエータの制御を行っても、このような挙動のズレが原因となって、負荷を入力指令通りの位置に位置決めできないことがある。このような挙動のズレは、高加速度の動きをさせる程、大きくなる。【０００９】
また、リニアアクチュエータにおいては、ほぼ静止状態からの微小入力応答時にも、リニアガイドの摺動抵抗等の影響により、負荷取付け部が移動しないという現象が生じるおそれがある。【００１０】
このようなズレ量は、コイルフレームの剛性を上げることによって低減可能である。しかしながら、剛性を上げるためには、コイルフレームを厚くするなどの対策が必要であるが、これに伴って、可動子の重量が大幅に増加してしまう。可動子の重量の大幅な増加は、高加速度駆動の大きな障害となるので、望ましくない。【００１１】
本発明の課題は、このような点に鑑みて、可動子の重量増加を抑制しつつ、可動子の剛性を高めて、高加速度駆動による位置決め動作を、応答性良く、かつ、高い精度で行うことのできるリニアアクチュエータを提供することにある。
【課題を解決するための手段】
【００１２】
上記の課題を解決するために、本発明のリニアアクチュエータは、
筒状のコイルフレーム、および、当該コイルフレームに巻き付けられた駆動コイルを備えた筒状の可動子と、
励磁電流が流れる前記駆動コイルとの間に、前記可動子をその中心軸線に平行な直線経路に沿って移動させる推力を発生させる磁石を備えた固定子と、
前記コイルフレームの内側において、前記可動子を、前記直線経路に沿って移動可能に支持する直動軸受けと、
前記コイルフレームにおける前記直動軸受けを挟み相互に対峙する部分を、第１フレーム部分および第２フレーム部分とすると、前記第１フレーム部分に取り付けた負荷取付け部と、
前記第２フレーム部分に取り付けた可動側検出部を備え、前記可動子の前記直線経路上の移動位置を検出する位置検出部と、
前記第１フレーム部分あるいは前記負荷取付け部から、前記第２フレーム部分あるいは前記可動側検出部までの間に架け渡した梁部と、
を有していることを特徴としている。【００１３】
本発明のリニアアクチュエータにおいては、直動軸受けを挟み、相互に離れた位置にある負荷取付け部と可動側検出部との間に梁部を架け渡してある。したがって、可動子の移動時に、負荷取付け部と可動側検出部が移動方向の前後に位置ズレが生じることを防止あるいは抑制できる。これにより、高加速度駆動時、静止状態からの微小駆動時等における位置決め制御の応答性の低下、位置決め精度の低下を防止あるいは抑制できる。【００１４】
ここで、梁部として、負荷取付け部および可動側検出部の構成部材とは別個の部材を使用し、この部材を負荷取付け部の構成部材および可動側検出部の構成部材の双方に、ネジ等の金具、接着剤、その他の固定具を用いて、固定することができる。ネジ等の金具を用いる場合には、軽量化のために大きな締結力を発揮する重量の大きなものを使用できないことがある。この場合には、可動子の移動方向から当接可能な当接部を、梁部と第１フレーム部分あるいは負荷取付け部材との間、および、梁部と、第２フレーム部分あるいは可動側検出部との間に設けておけばよい。【００１５】
また、梁部として、軽量で、前記可動子の移動方向の剛性が高くなるように、移動方向に所定幅の板状部材とすることが望ましい。【００１６】
ここで、リニアアクチュエータの位置決めの応答性、精度を高めるためには、前記中心軸線の方向から見た場合に、前記直動軸受けによる前記可動子の支持中心、および、前記可動子に作用する前記推力の発生中心は、前記可動子の重心に一致していることが望ましい。【００１７】
このためには、前記可動子、前記負荷取付け部、前記直動軸受けにおける前記可動子に取り付けられている可動側軸受け部、前記可動側検出部、および、前記梁部が、前記中心軸線を含み前記第１、第２フレーム部分に向かって延びる平面に対して、左右対称な構造となっていることが望ましい。【００１８】
ここで、本発明のリニアアクチュエータでは、梁部を追加して可動子の剛性を高めている。可動子に梁部を追加しているので、その分、可動子の重量が増加する。そこで、本発明のリニアアクチュエータにおいては、前記第２フレーム部分の外周面に、前記可動側検出部が取り付けられ、前記位置検出部における前記固定子の側に取り付けた固定側検出部は、前記可動側検出部に対して、前記第２フレーム部分とは反対側から対峙しており、前記負荷取付け部と前記第２フレーム部分との間に前記直動軸受けが位置していることが望ましい。【００１９】
筒状のコイルフレームの外側に位置検出部を配置することにより、コイルフレームにおける第１、第２フレーム部分の間隔を狭くでき、コイルフレームの軽量化および高剛性化を図ることができる。また、第１、第２フレーム部分の間に架け渡される梁部を短くできるので、その軽量化および高剛性化を図ることができる。これにより、梁部を配置したことに起因する可動子の重量増加を最小限に抑えることができ、可動子の全体の剛性も高めることができる。【００２０】
また、位置検出部を筒状のコイルフレームの外側に配置する場合には、その内側に配置する場合に比べて設置スペースの制約が緩和され、設計の自由度が高まる。よって、位置検出部の検出出力のノズル低減、コスト削減に有利である。【００２１】
ここで、前記位置検出部は、対向配置された発光部および受光部と、前記受光部への外乱光の侵入を阻止する遮光部とを備え、前記発光部は前記可動側検出部であり、前記受光部は前記固定側検出部であり、前記遮光部は、前記発光部の側に配置した発光側遮光部と、前記受光部の側に配置した受光側遮光部とを備え、前記発光側遮光部は、前記発光部の発光素子の発光面を取り囲む状態で前記受光側遮光部の側に突出している発光側突出部を備え、前記受光側遮光部は、前記受光部の受光素子の受光面を取り囲む状態で前記発光側遮光部の側に突出している受光側突出部を備え、前記発光側突出部の少なくとも先端部分は、前記受光側突出部の内側に入り込んでいることが望ましい。【００２２】
負荷取付け部に、レーザー光等の照射光が透過するレンズ等が搭載される場合には、照射光が、梁部に沿って位置検出部に侵入するおそれがある。発光部および受光部の間に相互に入り込む状態に発光側遮光部および受光側遮光部を配置しておくことで、このような外乱光が受光部の受光面に侵入することを確実に防止できる。これにより、梁部を設けたことが原因となって、位置検出部のｓ／ｎ比が低下することを回避あるいは抑制できる。
【図面の簡単な説明】
【００２３】
【図１】本発明を適用したリニアアクチュエータを示す外観斜視図であり、後方の下側から見た場合のものである。
【図２】図１のリニアアクチュエータの縦断面図、横断面図および底面図である。
【図３】図１のリニアアクチュエータの可動子の二例を示す斜視図である。
【図４】図１のリニアアクチュエータの位置検出部を示す部分断面図である。
【発明を実施するための形態】
【００２４】
以下に、図面を参照して、本発明を適用した磁気駆動式のリニアアクチュエータの実施の形態を説明する。
【００２５】
（全体構成）
図１は本実施の形態に係るリニアアクチュエータを示す外観斜視図であり、前方の下側から見た場合のものである。図２（ａ）、（ｂ）および（ｃ）は、リニアアクチュエータの縦断面図、横断面図および底面図であり、図３（ａ）は可動子アセンブリを示す斜視図である。以下においては、説明の便宜上、矢印Ｘの方向を幅方向、これに直交する矢印Ｙの方向を前後方向、矢印Ｘ、Ｙに直交する矢印Ｚの方向を上下方向とする。
【００２６】
リニアアクチュエータ１は、固定子２と可動子３を備えたボイスコイルモータから構成され、基本的に左右対称な構造となっている。固定子２は、一対のアウターヨーク４Ｌ、４Ｒと、一対の永久磁石５Ｌ、５Ｒと、一対のインナーヨーク６Ｌ、６Ｒとを備えている。アウターヨーク４Ｌ、４Ｒは前後方向Ｙに延びる一定厚さの矩形板であり、それらの前後の端部は内方に直角に突出した突出部４１、４２とされ、これらの間に上下方向Ｚに延びる一定深さの凹部４３が形成されている。凹部４３内に矩形板形状の永久磁石５Ｌ、５Ｒがそれぞれ取り付けられている。
【００２７】
インナーヨーク６Ｌ、６Ｒは、アウターヨーク４Ｌ、４Ｒの前後の突出部４１、４２の内側の端面に、前後の外側端面が密接した状態で、アウターヨーク４Ｌ、４Ｒに固定されている。凹部４３の深さは永久磁石５Ｌ、５Ｒの厚さよりも深く、したがって、永久磁石５Ｌと、これに対峙しているインナーヨーク６Ｌの間には一定幅で前後方向に延びる隙間７Ｌが形成されている。同様に、永久磁石５Ｒと、これに対峙しているインナーヨーク６Ｒの間にも一定幅で前後方向に延びる隙間７Ｒが形成されている。
【００２８】
可動子３は固定子２の左右の永久磁石５Ｌ、５Ｒの間に配置されており、矩形筒状のコイルフレーム１１と、この外周面に沿ってその周方向に巻き付けた駆動コイル１２とを備えている。コイルフレーム１１の内側の左右にインナーヨーク６Ｌ、６Ｒが位置し、コイルフレーム１１の上下方向Ｚに延びる左辺部分１１Ｌおよび右辺部分１１Ｒは、永久磁石５Ｌ、５Ｒとインナーヨーク６Ｌ、６Ｒとの間の隙間７Ｌ、７Ｒに通されている。左辺部分１１Ｌ、右辺部分１１Ｒに巻き付けられている駆動コイル１２の部分は、一定のギャップで左右の永久磁石５Ｌ、５Ｒに対峙している。コイルフレーム１１の幅方向Ｘに延びる上辺部分１１Ｕおよび下辺部分１１Ｂは、インナーヨーク６Ｌ、６Ｒの上側および下側に沿って配置されている。
【００２９】
コイルフレーム１１の内部には、負荷取付け部１４と直動軸受け部１５が配置されている。負荷取付け部１４は、コイルフレーム１１の下辺部分１１Ｂ（第１フレーム部分）の内周面（上方を向く面）に取り付けられている。負荷取り付け部１４は例えばレンズホルダであり、レンズ取り付け部である円形開口部１４ａと、可動子３の中心軸線３ａに平行な方向に貫通して延びる光路１４ｂとが形成されている。直動軸受け部１５は、負荷取り付け部１４の上側に配置され、中心軸線３ａに平行な可動子３の直線経路を規定し、当該直線経路に沿って可動子３をガイドする。
【００３０】
直動軸受け部１５は、可動子３の直線経路を規定するガイドレール１５ａと、このガイドレール１５ａに沿って摺動可能なスライダ１５ｂとを備えている。ガイドレール１５ａは水平ブロック１６の下面に固定され、前後方向に水平に延びている。水平ブロック１６は、コイルフレーム１１の内側に配置され、固定子２の側の左右のインナーヨーク６Ｌ、６Ｒの間に水平に取付けられている。スライダ１５ｂは、可動子３の側の負荷取り付け部１４に形成した水平な上面にボルト等によって固定されている。
【００３１】
駆動コイル１２の上側には、可動子３の移動位置を検出するための位置検出部２０が配置されている。位置検出部２０は、ＬＥＤ２１を備えた発光部２２と、半導体位置検出素子（ＰＳＤ）２３を備えた受光部２４とを有している。発光部２２はコイルフレーム１１の上辺部分１１Ｕの外周面（上方を向く面）に取り付けられた可動側検出部である。受光部２４は固定側検出部であり、上側から発光部２２に対峙しており、リニアアクチュエータ１の上端部を覆う遮光用センサーカバー２５の内側下面に取り付けられている。遮光用センサーカバー２５の上面には、外部接続用の配線基板２６が取り付けられている。配線基板２６は、発光部２２および受光部２４に配線接続されていると共に、外部接続用のコネクタ２７が搭載されている。
【００３２】
（梁部の構成）
ここで、コイルフレーム１１の下辺部分１１Ｂに取り付けた負荷取付け部１４と、コイルフレーム１１の上辺部分１１Ｕとの間には、それらの両側において上下方向Ｚに延びる一対の板状の梁部２８Ｌ、２８Ｒが掛け渡されている。梁部２８Ｌ、２８Ｒは左右対称な形状をしており、図３から分かるように、それらの前後の端において上下方向に突出している固定用板部分２８ａ、２８ｂを備え、中央部分は円形に切り取られて軽量化が図られている。
【００３３】
上側の前後一対の固定用板部分２８ａは、それぞれ、コイルフレーム１１の上辺部分１１Ｕの左右の部位にネジ２９ａによって固定されている。この上辺部分１１Ｕには先に述べたように、発光部２２が取り付けられている。下側の前後一対の固定用板部分２８ｂは、それぞれ、負荷取付け部１４の左右の側面の後端部分に、ネジ２９ｂによって固定されている。このように、直動軸受け部１５を挟み、上下方向Ｚに離れている負荷取付け部１４（コイルフレーム１１の下辺部分１１Ｂ）と、発光部２２（コイルフレーム１１の上辺部分１１Ｕ）との間が、左右の梁部２８Ｌ、２８Ｒによって連結されている。梁部２８Ｌ、２８Ｒは板状部材であり、可動子３の移動方向（前後方向Ｙ）の剛性が、それに直交する幅方向Ｘに比べて高い。
【００３４】
リニアアクチュエータ１の駆動コイル１２に励磁電流を流すと、その通電方向に応じて、永久磁石５Ｌ、５Ｒと駆動コイル１２との間には、可動子３をその中心軸線３ａの方向に移動させる推力（電磁力）が発生する。可動子３に推力が作用すると、可動子３は、直動軸受け部１５によってガイドされて、前後方向Ｙに移動する。可動子３のストロークは、アウターヨーク４Ｌ、４Ｒの前後の突出部４１、４２によって規定される。
【００３５】
上記のように、可動子３の移動方向に対して直交する方向の上下方向Ｚに離れている発光部２２と負荷取付け部１４との間は、左右の梁部２８Ｌ、２８Ｒで連結されている。よって、矩形筒状の可動子３の移動方向の剛性を高くでき、可動子３の移動時に、負荷取付け部１４と発光部２２との間に、挙動のズレが発生することを防止あるいは抑制できる。この結果、位置検出部２０の出力信号から得られる負荷取付け部１４（したがって、そこに搭載されるレンズ等の負荷）の位置を精度良く検出できる。よって、高加速駆動時等における応答性および位置決め精度を高めることができる。
【００３６】
本例では、梁部２８Ｌ、２８Ｒとして、負荷取付け部１４および発光部２２（可動側検出部）とは別個の部材を使用し、負荷取付け部１４および発光部２２の双方に、ネジ２９ａ、２９ｂ等の金具、接着剤、その他の固定具を用いて、固定している。ネジ２９ａ、２９ｂ等の金具を用いる場合には、軽量化のために大きな締結力を発揮する重量の大きなものを使用できないことがある。この場合には、可動子３の移動方向から当接可能な当接部を、梁部２８Ｌ、２８Ｒと、コイルフレーム１１の下辺部分１１Ｂあるいは負荷取付け部１４との間に形成しておけばよい。同様に、梁部２８Ｌ、２８Ｒと、コイルフレーム１１の上辺部分１１Ｕあるいは発光部２２との間に形成しておけばよい。例えば、図３（ａ）において、想像線で示すように、梁部２８Ｌ、２８Ｒにおける上下の固定用板部分２８ａ、２８ｂの端を幅方向Ｘの内側に直角に折り曲げて、当接部２８ｃ、２８ｄを形成しておくことができる。
【００３７】
ここで、図３（ｂ）は可動子３を含む可動側アセンブリの別の構成例を示す斜視図である。この図に示す可動側アセンブリでは、コイルフレーム１１と、梁部２８Ｌ、２８Ｒとが、単一部品３０から形成されている。このようにすれば、梁部２８Ｌ、２８Ｒを発光部２２の側に固定するためのネジ２９ａ等の固定具が不要となる。さらには、コイルフレーム１１、負荷取付け部１４および梁部２８Ｌ、２８Ｒを、これらの部位が一体形成された単一部品とすることも可能である。
【００３８】
本発明者等は、梁部２８Ｌ、２８Ｒを備えたリニアアクチュエータ１の位置決め精度について検証実験を行った。比較対象のリニアアクチュエータとして２つのタイプのものを用いた。一つは、梁部が備わっていないこと以外はリニアアクチュエータ１と同一構造のリニアアクチュエータであり、もう一つは、梁部が備わっていないことと、コイルフレーム１１よりも肉厚の厚いコイルフレームを用いていること以外はリニアアクチュエータ１と同一構造のリニアアクチュエータである。２つのタイプのリニアアクチュエータではいずれも位置決め制御において位置ずれが生じる高加速駆動において、本実施の形態のリニアアクチュエータ１では位置ずれが発生せず、本発明の構成が有効であることが確認された。
【００３９】
（可動子の重心位置）
本実施の形態では、リニアアクチュエータ１の位置決めの応答性、精度を高めるために、可動子３の中心軸線３ａの方向から見た場合に、直動軸受け部１４による可動子３の支持中心、および、可動子３に作用する推力の発生中心を、可動子３の重心に一致させるようにしている。このために、図２（ａ）、（ｃ）に示すように、可動子３、負荷取付け部１４、直動軸受け部１５のスライダ１５ｂ、発光部２２および梁部２８Ｌ、２８Ｒが、中心軸線３ａを含む上下方向Ｚに延びる平面Ｐに対して、左右対称な構造となっている。
【００４０】
可動子３の重心が直動軸受け部１５の支持中心に一致しているので、直動軸受け部１５に作用する可動子自重に起因して発生するモーメントを低減できる。また、可動子３に作用する推力の中心が直動軸受け部１５の支持中心に一致しているので、可動子３に作用する推力に起因して直動軸受け部１５に発生するモーメントを低減できる。したがって、本例のリニアアクチュエータ１では、直動軸受け部１５に無理な応力が作用することを防止あるいは抑制でき、直動軸受け部１５によってガイドされる可動子３の摺動抵抗を低減できる。この結果、可動子３を応答性良く移動させて精度良く位置決めできる。また、直動軸受け部１５などの部位に無理な応力が作用しないので、リニアアクチュエータ１の耐久性も向上する。
【００４１】
（位置検出部）
本実施の形態では、梁部２８Ｌ、２８Ｒを追加して可動子３の剛性を高めているので、可動子３の重量が増加している。しかしながら、位置検出部２０を矩形筒状の可動子３の外側に配置してある。位置検出部２０をコイルフレーム１１の内側に配置する場合に比べて、コイルフレーム１１における上辺部分１１Ｕと下辺部分１１Ｂとの間隔を狭くでき、可動子３の剛性を高めることができる。また、上辺部分１１Ｕおよび下辺部分１１Ｂの間に架け渡される梁部２８Ｌ、２８Ｒも短くでき、その軽量化および高剛性化を図ることができる。このように、可動子３の全体の剛性を高めることができ、かつ、梁部２８Ｌ、２８Ｒを配置したことに起因する可動子３の重量増加も抑制できる。よって、高加速度駆動時等における応答性、位置決め精度の向上に有利である。
【００４２】
なお、位置検出部２０を矩形筒状の可動子３の外側に配置する場合には、その内側に配置する場合に比べて設置スペースの制約が緩和され、設計の自由度が高まる。よって、位置検出部の検出出力のノズル低減、コスト削減に有利である。
【００４３】
（位置検出部の遮光構造）
次に、図４は、リニアアクチュエータ１の位置検出部２０の部分を示す拡大部分断面図である。リニアアクチュエータ１の負荷取付け部１４は、レーザー光等の照射光が透過するレンズが搭載されるレンズホルダである。この場合には、負荷取付け部１４を前後に貫通する光路１４ｂを通過する照射光の一部が、その両側において、上下方向に架け渡されている梁部２８Ｌ、２８Ｒに沿って上側の位置検出部２０に侵入するおそれがある。このような外乱光の侵入を防止するために、位置検出部２０には次のような遮光構造が備わっている。
【００４４】
図４を参照して説明すると、位置検出部２０は、上下方向Ｚから対向配置された発光部２２と受光部２４と、受光部２４の受光素子である半導体位置検出素子２３の受光面への外乱光の侵入を阻止する遮光部３１とを備えている。
【００４５】
遮光部３１は、発光部２２の側に配置した発光側遮光板３２と、受光部２４の側に配置した受光側遮光板３３とを備えている。発光側遮光板３２は、発光部２２の発光素子であるＬＥＤ２１の発光面を取り囲む状態で受光側遮光板３３の側に突出している発光側突出部３２ａを備えている。この発光側突出部３２ａの上端には幅方向に延びるスリットが形成され、ここを介してＬＥＤ２１からの射出光が受光部２４に照射される。
【００４６】
受光側遮光板３３は、受光部２４の受光素子である半導体位置検出素子２３が位置する開口部３３ａと、当該開口部３３ａを取り囲む状態で発光側遮光板３２の側に突出している受光側突出部３３ｂとを備えている。ここで、図４から分かるように、発光側突出部３２ａの先端部分は、受光側突出部３３ｂの内側に同軸状態に入り込んでいる。
【００４７】
このように、発光部２２と受光部２４の間に、相互に入り込む状態に発光側遮光板３２と受光側遮光板３３とを狭い間隔で対向配置してある。よって、両側の梁部２８Ｌ、２８Ｒの表面に沿って、外乱光が受光部２４の受光面に侵入することを確実に防止できる。これにより、梁部２８Ｌ、２８Ｒを設けたことが原因となって、位置検出部２０のｓ／ｎ比が低下することを回避あるいは抑制できる。
【００４８】
（その他の実施の形態）
上記の例は、矩形筒状の可動子を用いているが、矩形以外の筒形状の可動子を用いることもできる。例えば、円筒状の可動子などを用いることもできる。
【００４９】
また、上記の例は負荷取り付け部１４がレンズホルダの例であるが、レンズ以外の部材を直線往復移動させるために、本発明のリニアアクチュエータを用いることができることは勿論である。
【図１】
2015155825.tif 000003
【図２】
2015155825.tif 000004
【図３】
2015155825.tif 000005
【図４】
2015155825.tif 000006
【手続補正書】
【提出日】平成28年9月23日(2016.9.23)
【手続補正１】
【補正対象書類名】明細書
【補正対象項目名】００２０
【補正方法】変更
【補正の内容】
【００２０】
また、位置検出部を筒状のコイルフレームの外側に配置する場合には、その内側に配置する場合に比べて設置スペースの制約が緩和され、設計の自由度が高まる。よって、位置検出部の検出出力のノイズ低減、コスト削減に有利である。
【手続補正２】
【補正対象書類名】明細書
【補正対象項目名】００２３
【補正方法】変更
【補正の内容】
【００２３】
【図１】本発明を適用したリニアアクチュエータを示す外観斜視図であり、前方の下側から見た場合のものである。
【図２】図１のリニアアクチュエータの縦断面図、横断面図および底面図である。
【図３】図１のリニアアクチュエータの可動子の二例を示す斜視図である。
【図４】図１のリニアアクチュエータの位置検出部を示す部分断面図である。
【手続補正３】
【補正対象書類名】明細書
【補正対象項目名】００３９
【補正方法】変更
【補正の内容】
【００３９】
（可動子の重心位置）
本実施の形態では、リニアアクチュエータ１の位置決めの応答性、精度を高めるために、可動子３の中心軸線３ａの方向から見た場合に、直動軸受け部１５による可動子３の支持中心、および、可動子３に作用する推力の発生中心を、可動子３の重心に一致させるようにしている。このために、図２（ａ）、（ｃ）に示すように、可動子３、負荷取付け部１４、直動軸受け部１５のスライダ１５ｂ、発光部２２および梁部２８Ｌ、２８Ｒが、中心軸線３ａを含む上下方向Ｚに延びる平面Ｐに対して、左右対称な構造となっている。
【手続補正４】
【補正対象書類名】明細書
【補正対象項目名】００４２
【補正方法】変更
【補正の内容】
【００４２】
なお、位置検出部２０を矩形筒状の可動子３の外側に配置する場合には、その内側に配置する場合に比べて設置スペースの制約が緩和され、設計の自由度が高まる。よって、位置検出部の検出出力のノイズ低減、コスト削減に有利である。
【国際調査報告】
2015155825.tif 000007
2015155825.tif 000008